(57)【要約】【課題】使用者が手動で多数の替芯を１本の替芯と複数の替芯とに容器本体の内部で分けなければならない煩わしさを排除する。【解決手段】多数の替芯を収容可能な容器本体１を具備する替芯ケースにおいて、容器本体１の内部１ｆの底面を平坦部１ｇとその平坦部１ｇより窪んだ凹部１ｈとによって構成し、平坦部１ｇ上に複数の替芯が配置され、凹部１ｈ内に１本のみの替芯が収容されるように、平坦部１ｇおよび凹部１ｈを形成した。好ましくは、凹部１ｈと同一の断面形状を有する第１通路１ｉによって凹部１ｈと容器本体１の外側とを連通し、容器本体１の内部１ｆのうち、凹部１ｈより上側の部分と容器本体１の外側とを連通する第２通路１ｊを、容器本体１の内部１ｆを隔てて第１通路１ｉの反対側に形成した。【選択図】図５
2007105977.tif 000002
【特許請求の範囲】
【請求項１】
多数の替芯を収容可能な容器本体を具備する替芯ケースにおいて、前記容器本体の内部の底面を平坦部とその平坦部より窪んだ凹部とによって構成し、前記平坦部上に複数の替芯が配置され、前記凹部内に１本のみの替芯が収容されるように、前記平坦部および凹部を形成したことを特徴とする替芯ケース。
【請求項２】
前記凹部と同一の断面形状を有する第１通路によって前記凹部と前記容器本体の外側とを連通し、前記容器本体の内部のうち、前記凹部より上側の部分と前記容器本体の外側とを連通する第２通路を、前記容器本体の内部を隔てて前記第１通路の反対側に形成したことを特徴とする請求項１に記載の替芯ケース。
【請求項３】
前記凹部と前記第１通路とを遮断するための第１シャッター部と、前記容器本体の内部のうち、前記凹部より上側の部分と前記第２通路とを遮断するための第２シャッター部とを有する天秤形状のシャッター部材を設けたことを特徴とする請求項２に記載の替芯ケース。
【請求項４】
前記第１シャッター部を前記凹部と前記第１通路との間に配置し、前記第２シャッター部を前記容器本体の内部のうち、前記凹部より上側の部分と前記第２通路との間に配置したことを特徴とする請求項３に記載の替芯ケース。
【請求項５】
前記凹部と前記第１通路とを連通するための第３通路を前記第１シャッター部の上側に形成すると共に、前記第３通路を前記凹部と前記第１通路との間まで移動させるための第１押動部を天秤形状の前記シャッター部材の支点より前記第１シャッター部に近い側に配置し、
前記容器本体の内部のうち、前記凹部より上側の部分と前記第２通路とを連通するための第４通路を前記第２シャッター部の上側に形成すると共に、前記第４通路を、前記容器本体の内部のうち、前記凹部より上側の部分と前記第２通路との間まで移動させるための第２押動部を天秤形状の前記シャッター部材の支点より前記第２シャッター部に近い側に配置したことを特徴とする請求項４に記載の替芯ケース。
【請求項６】
押し下げられた前記第１押動部を上側に戻すための第１ばね部の少なくとも一部を前記第２押動部により形成し、押し下げられた前記第２押動部を上側に戻すための第２ばね部の少なくとも一部を前記第１押動部により形成したことを特徴とする請求項５に記載の替芯ケース。
【発明の詳細な説明】
【技術分野】
【０００１】
本発明は、多数の替芯を収容可能な容器本体を具備する替芯ケースに関し、特には、使用者が手動で多数の替芯を１本の替芯と複数の替芯とに分けなければならない煩わしさを排除することができる替芯ケースに関する。
【背景技術】
【０００２】
従来から、多数の替芯を収容可能な容器本体を具備し、容器本体の内部が複数の室に分割されている替芯ケースが知られている。この種の替芯ケースの例としては、例えば、実開昭５３−１５４０４７号公報に記載されたものがある。
【０００３】
実開昭５３−１５４０４７号公報に記載された替芯ケースでは、容器本体の内部が本室と分室とに分割されているため、多数の替芯を例えば１本の替芯と残りの複数の替芯とに分けて収容することができる。詳細には、例えば１本の替芯を分室内に収容し、残りの複数の替芯を本室内に収容することができる。
【０００４】
ところが、実開昭５３−１５４０４７号公報に記載された替芯ケースでは、分室と本室とが突壁によって隔てられているため、多数の替芯を例えば１本の替芯と残りの複数の替芯とに分けて収容しようとすると、使用者が手動で多数の替芯を１本の替芯と複数の替芯とに分けなければならない。
【０００５】
【特許文献１】実開昭５３−１５４０４７号公報
【発明の開示】
【発明が解決しようとする課題】
【０００６】
前記問題点に鑑み、本発明は、使用者が手動で多数の替芯を１本の替芯と複数の替芯とに分けなければならない煩わしさを排除することができる替芯ケースを提供することを目的とする。
【課題を解決するための手段】
【０００７】
請求項１に記載の発明によれば、多数の替芯を収容可能な容器本体を具備する替芯ケースにおいて、前記容器本体の内部の底面を平坦部とその平坦部より窪んだ凹部とによって構成し、前記平坦部上に複数の替芯が配置され、前記凹部内に１本のみの替芯が収容されるように、前記平坦部および凹部を形成したことを特徴とする替芯ケースが提供される。
【０００８】
請求項２に記載の発明によれば、前記凹部と同一の断面形状を有する第１通路によって前記凹部と前記容器本体の外側とを連通し、前記容器本体の内部のうち、前記凹部より上側の部分と前記容器本体の外側とを連通する第２通路を、前記容器本体の内部を隔てて前記第１通路の反対側に形成したことを特徴とする請求項１に記載の替芯ケースが提供される。
【０００９】
請求項３に記載の発明によれば、前記凹部と前記第１通路とを遮断するための第１シャッター部と、前記容器本体の内部のうち、前記凹部より上側の部分と前記第２通路とを遮断するための第２シャッター部とを有する天秤形状のシャッター部材を設けたことを特徴とする請求項２に記載の替芯ケースが提供される。
【００１０】
請求項４に記載の発明によれば、前記第１シャッター部を前記凹部と前記第１通路との間に配置し、前記第２シャッター部を前記容器本体の内部のうち、前記凹部より上側の部分と前記第２通路との間に配置したことを特徴とする請求項３に記載の替芯ケースが提供される。
【００１１】
請求項５に記載の発明によれば、前記凹部と前記第１通路とを連通するための第３通路を前記第１シャッター部の上側に形成すると共に、前記第３通路を前記凹部と前記第１通路との間まで移動させるための第１押動部を天秤形状の前記シャッター部材の支点より前記第１シャッター部に近い側に配置し、前記容器本体の内部のうち、前記凹部より上側の部分と前記第２通路とを連通するための第４通路を前記第２シャッター部の上側に形成すると共に、前記第４通路を、前記容器本体の内部のうち、前記凹部より上側の部分と前記第２通路との間まで移動させるための第２押動部を天秤形状の前記シャッター部材の支点より前記第２シャッター部に近い側に配置したことを特徴とする請求項４に記載の替芯ケースが提供される。
【００１２】
請求項６に記載の発明によれば、押し下げられた前記第１押動部を上側に戻すための第１ばね部の少なくとも一部を前記第２押動部により形成し、押し下げられた前記第２押動部を上側に戻すための第２ばね部の少なくとも一部を前記第１押動部により形成したことを特徴とする請求項５に記載の替芯ケースが提供される。
【発明の効果】
【００１３】
請求項１に記載の替芯ケースでは、多数の替芯を収容可能な容器本体の内部の底面が、平坦部と、その平坦部より窪んだ凹部とによって構成されている。更に、平坦部上に複数の替芯が配置され、凹部内に１本のみの替芯が収容されるように、平坦部および凹部が形成されている。
【００１４】
詳細には、請求項１に記載の替芯ケースでは、多数の替芯が容器本体の内部に充填されると、多数の替芯のうち、複数の替芯が平坦部上に配置され、１本のみの替芯が凹部内に収容されるように、つまり、多数の替芯が自重によって複数の替芯と１本の替芯とに分けられるように、平坦部と、その平坦部より窪んだ凹部とが形成されている。
【００１５】
そのため、実開昭５３−１５４０４７号公報に記載された替芯ケースのように、使用者が手動で多数の替芯を１本の替芯と複数の替芯とに分けなければならない煩わしさを排除することができる。
【００１６】
請求項２に記載の替芯ケースでは、凹部と同一の断面形状を有する第１通路によって凹部と容器本体の外側とが連通されている。そのため、凹部内に収容された１本のみの替芯を容器本体の外側に取り出すことができる。
【００１７】
また、請求項２に記載の替芯ケースでは、容器本体の内部のうち、凹部より上側の部分と容器本体の外側とが第２通路によって連通されている。そのため、平坦部上に配置された複数の替芯を容器本体の外側に取り出すことができる。
【００１８】
更に、請求項２に記載の替芯ケースでは、第２通路が容器本体の内部を隔てて第１通路の反対側に形成されている。そのため、１本のみの替芯を取り出すための第１通路と複数の替芯を取り出すための第２通路とが容器本体の同一の側面に形成されるのに伴って、１本の替芯を取り出すことが要求されている時に誤って複数の替芯が取り出されたり、複数の替芯を取り出すことが要求されている時に誤って１本の替芯が取り出されたりしてしまうおそれを排除することができる。
【００１９】
請求項３に記載の替芯ケースでは、凹部と第１通路とを遮断するための第１シャッター部と、容器本体の内部のうち、凹部より上側の部分と第２通路とを遮断するための第２シャッター部とを有する天秤形状のシャッター部材が設けられている。そのため、凹部と第１通路とを遮断するための部材と、容器本体の内部のうち、凹部より上側の部分と第２通路とを遮断するための部材とを別個に設ける必要性を排除することができる。
【００２０】
請求項４に記載の替芯ケースでは、第１シャッター部が、凹部と第１通路との間に配置され、第２シャッター部が、容器本体の内部のうち、凹部より上側の部分と第２通路との間に配置されている。つまり、可動部としての第１シャッター部および第２シャッター部が、替芯ケースの外側に露出せしめられていない。そのため、可動部が、替芯ケースの外側に露出せしめられるのに伴って、破損してしまうおそれを低減することができる。
【００２１】
凹部内に収容された１本の替芯を第１通路から取り出し可能にするための操作部が第１通路から離れた位置に配置されていると、慣れない使用者が１本の替芯の取り出し操作を誤ってしまうおそれがある点に鑑み、請求項５に記載の替芯ケースでは、凹部と第１通路とを連通する第３通路を凹部と第１通路との間まで移動させるための第１押動部が、天秤形状のシャッター部材の支点より第１シャッター部に近い側に配置されている。更に、第１押動部が押動されると第３通路が凹部と第１通路との間まで移動せしめられるように、第３通路が第１シャッター部の上側に形成されている。そのため、慣れない使用者が１本の替芯の取り出し操作を誤ってしまうおそれを低減することができる。
【００２２】
更に、平坦部上に配置された複数の替芯を第２通路から取り出し可能にするための操作部が第２通路から離れた位置に配置されていると、慣れない使用者が複数の替芯の取り出し操作を誤ってしまうおそれがある点に鑑み、請求項５に記載の替芯ケースでは、容器本体の内部のうち、凹部より上側の部分と第２通路とを連通する第４通路をその部分と第２通路との間まで移動させるための第２押動部が、天秤形状のシャッター部材の支点より第２シャッター部に近い側に配置されている。更に、第２押動部が押動されると第４通路がその部分と第２通路との間まで移動せしめられるように、第４通路が第２シャッター部の上側に形成されている。そのため、慣れない使用者が複数の替芯の取り出し操作を誤ってしまうおそれを低減することができる。
【００２３】
請求項６に記載の替芯ケースでは、押し下げられた第１押動部を上側に戻すための第１ばね部の少なくとも一部が、第２押動部により形成され、更に、押し下げられた第２押動部を上側に戻すための第２ばね部の少なくとも一部が、第１押動部により形成されている。つまり、押し下げられた第１押動部を上側に戻すための第１ばね部と第２押動部とが兼用され、押し下げられた第２押動部を上側に戻すための第２ばね部と第１押動部とが兼用されている。そのため、シャッター部材とは別個にばね部材を設ける必要性や、第１押動部および第２押動部とは別個にばね部を設ける必要性を排除することができる。
【発明を実施するための最良の形態】
【００２４】
以下、本発明の替芯ケースの第１の実施形態について説明する。第１の実施形態の替芯ケースは多数の替芯を収容可能に構成されている。更に、後で詳細に説明するように、第１の実施形態の替芯ケースは、１本のみの替芯、あるいは、例えば２〜３本のような複数の替芯を選択的に取り出すことができるように構成されている。
【００２５】
図１〜図３は第１の実施形態の替芯ケースを示した図である。詳細には、図１（Ａ）は第１の実施形態の替芯ケースの平面図、図１（Ｂ）は第１の実施形態の替芯ケースの正面図、図１（Ｃ）は図１（Ａ）に示した第１の実施形態の替芯ケースのＸ−Ｘ断面図である。図２（Ａ）は第１の実施形態の替芯ケースの右側面図、図２（Ｂ）は第１の実施形態の替芯ケースの左側面図である。図３（Ａ）は第１の実施形態の替芯ケースの分解組立図、図３（Ｂ）は第１の実施形態の替芯ケースの斜視図である。
【００２６】
図４および図５は第１の実施形態の替芯ケースの一部を構成する容器本体１を示した図である。第１の実施形態の替芯ケースでは、容器本体１が、多数の替芯（図示せず）を収容可能に形成されている。また、容器本体１が例えばＰＳのような樹脂材料によって形成されている。第１の実施形態の替芯ケースの変形例では、代わりに、容器本体１をＰＳ以外の材料によって形成することも可能である。
【００２７】
詳細には、図４（Ａ）は容器本体１の平面図、図４（Ｂ）は容器本体１の正面図、図４（Ｃ）は図４（Ａ）に示した容器本体１のＡ−Ａ断面図である。図５（Ａ）は容器本体１の右側面図、図５（Ｂ）は図４（Ａ）に示した容器本体１のＢ−Ｂ断面図、図５（Ｃ）は図４（Ａ）に示した容器本体１のＣ−Ｃ断面図、図５（Ｄ）は容器本体１の左側面図、図５（Ｅ）は図４（Ａ）に示した容器本体１のＤ−Ｄ断面図である。
【００２８】
図６および図７は第１の実施形態の替芯ケースの一部を構成する固定部材２を示した図である。第１の実施形態の替芯ケースでは、固定部材２が例えばＡＢＳのような樹脂材料によって形成されている。第１の実施形態の替芯ケースの変形例では、代わりに、固定部材２をＡＢＳ以外の材料によって形成することも可能である。
【００２９】
詳細には、図６（Ａ）は固定部材２の平面図、図６（Ｂ）は固定部材２の正面図、図６（Ｃ）は図６（Ａ）に示した固定部材２のＥ−Ｅ断面図、図７（Ａ）は固定部材２の右側面図、図７（Ｂ）は図６（Ａ）に示した固定部材２のＦ−Ｆ断面図、図７（Ｃ）は図６（Ａ）に示した固定部材２のＧ−Ｇ断面図、図７（Ｄ）は固定部材２の左側面図、図７（Ｅ）は図６（Ａ）に示した固定部材２のＨ−Ｈ断面図である。
【００３０】
図８および図９は第１の実施形態の替芯ケースの一部を構成するシャッター部材３を示した図である。第１の実施形態の替芯ケースでは、シャッター部材３が例えばＰＯＭのような弾性変形可能な樹脂材料によって形成されている。第１の実施形態の替芯ケースの変形例では、代わりに、シャッター部材３をＰＯＭ以外の弾性変形可能な材料によって形成することも可能である。
【００３１】
詳細には、図８（Ａ）はシャッター部材３の平面図、図８（Ｂ）はシャッター部材３の正面図、図８（Ｃ）は図８（Ａ）に示したシャッター部材３のＩ−Ｉ断面図、図９（Ａ）はシャッター部材３の右側面図、図９（Ｂ）はシャッター部材３の左側面図である。
【００３２】
図１〜図９（特に図４および図５）において、１ａは容器本体１の底部を示しており、１ｂは容器本体１の右壁部を示しており、１ｃは容器本体１の左壁部を示しており、１ｄは容器本体１の前壁部を示しており、１ｅは容器本体１の後壁部を示しており、１ｆは容器本体１の内部を示している。１ｇは容器本体１の内部１ｆの底面の一部を構成する平坦部を示しており、１ｈは容器本体１の内部１ｆの底面の一部を構成する凹部を示している。
【００３３】
第１の実施形態の替芯ケースでは、図５（Ｂ）、図５（Ｃ）および図５（Ｅ）に示すように、容器本体１の内部１ｆの底面が、平坦部１ｇと、その平坦部１ｇより窪んだ凹部１ｈとによって構成されている。具体的には、平坦部１ｇ上に例えば２〜３本のような複数の替芯（図示せず）が配置され、凹部１ｈ内に１本のみの替芯（図示せず）が収容されるように、平坦部１ｇおよび凹部１ｈが形成されている。
【００３４】
更に、図１〜図９（特に図４および図５）において、１ｉは凹部１ｈと容器本体１の外側とを連通するために容器本体１の右壁部１ｂに形成された第１通路を示しており、１ｊは容器本体１の内部１ｆのうち、凹部１ｈより上側の部分と容器本体１の外側とを連通するために容器本体１の左壁部１ｃに形成された第２通路を示している。１ｋは前壁部１ｄと平坦部１ｇとを接続するためのテーパ部を示しており、１ｌは後壁部１ｅと平坦部１ｇとを接続するためのテーパ部を示している。
【００３５】
第１の実施形態の替芯ケースでは、図５（Ａ）および図５（Ｅ）に示すように、凹部１ｈと第１通路１ｉとが同一の断面形状を有するように、第１通路１ｉが形成されている。つまり、右側に投影された凹部１ｈの外形形状と第１通路１ｉの外形形状とが一致せしめられている。
【００３６】
また、第１の実施形態の替芯ケースでは、図５（Ｂ）、図５（Ｃ）および図５（Ｄ）に示すように、容器本体１の内部１ｆのうち、凹部１ｈより上側であって、テーパ部１ｋ，１ｌより下側の直方体部分と、第２通路１ｊとが同一の断面形状を有するように、第２通路１ｊが形成されている。つまり、左側に投影された直方体部分の外形形状と第２通路１ｊの外形形状とが一致せしめられている。
【００３７】
更に、第１の実施形態の替芯ケースでは、図４（Ｃ）に示すように、第２通路１ｊが、容器本体１の内部１ｆを隔てて第１通路１ｉの反対側に配置されている。
【００３８】
つまり、第１の実施形態の替芯ケースでは、図４および図５に示すように、凹部１ｈ内に収容された１本のみの替芯（図示せず）を右側（図４（Ａ）および図４（Ｃ）の右側）に移動させることにより、その１本のみの替芯が第１通路１ｉを介して取り出されるように、凹部１ｈおよび第１通路１ｉが構成されている。更に、平坦部１ｇ上に配置された例えば２〜３本のような複数の替芯（図示せず）を左側（図４（Ａ）および図４（Ｃ）の左側）に移動させることにより、その複数の替芯が第２通路１ｊを介して取り出されるように、平坦部１ｇおよび第２通路１ｊが構成されている。
【００３９】
また、図１〜図９（特に図４および図５）において、１ｍ，１ｎは回動せしめられるシャッター部材３を逃げるための逃げ穴を示しており、１ｏ，１ｐ，１ｑ，１ｒは容器本体１に対して固定部材２を固定するための突起を示している。
【００４０】
更に、図１〜図９（特に図６および図７）において、２ａは固定部材２の底面を示しており、２ｂ，２ｃ，２ｄ，２ｅは容器本体１に対して固定部材２を固定するための突起を示している。
【００４１】
詳細には、第１の実施形態の替芯ケースでは、固定部材２の突起２ｂ（図６および図７参照）が容器本体１の突起１ｏ（図４および図５参照）を乗り越え、固定部材２の突起２ｃ（図６および図７参照）が容器本体１の突起１ｐ（図４および図５参照）を乗り越え、固定部材２の突起２ｄ（図６および図７参照）が容器本体１の突起１ｑ（図４および図５参照）を乗り越え、固定部材２の突起２ｅ（図６および図７参照）が容器本体１の突起１ｒ（図４および図５参照）を乗り越えるまで、図３（Ａ）に示すように、固定部材２が容器本体１内に圧入されると、固定部材２の底面２ａ（図７参照）が容器本体１のテーパ部１ｋ，１ｌ（図５参照）に突き当てられる。その結果、固定部材２が容器本体１に対して固定される。
【００４２】
また、図１〜図９（特に図６および図７）において、２ｆ，２ｈは軸受部を示しており、２ｇ，２ｉは案内溝を示しており、２ｋ，２ｊは突き当て部を示している。
【００４３】
更に、図１〜図９（特に図８および図９）において、３ａ，３ｂはシャッター部材３の回転軸を示している。詳細には、第１の実施形態の替芯ケースでは、図３（Ａ）に示すように、シャッター部材３が固定部材２内に圧入されると、シャッター部材３の回転軸３ａ（図８および図９参照）が、固定部材２の案内溝２ｇ（図７（Ｃ）参照）を介して軸受部２ｆまで案内されると共に、シャッター部材３の回転軸３ｂ（図８および図９参照）が、固定部材２の案内溝２ｉ（図７（Ｃ）参照）を介して軸受部２ｈまで案内される。その結果、シャッター部材３の回転軸３ａ，３ｂが、固定部材２の軸受部２ｆ，２ｈと嵌合せしめられ、軸受部２ｆ，２ｈによって回転可能に支持される。それにより、シャッター部材３が固定部材２に対して回動可能に固定部材２によって支持される。
【００４４】
更に詳細には、第１の実施形態の替芯ケースでは、図３（Ａ）、図８（Ａ）および図８（Ｂ）に示すように、シャッター部材３が、回転軸３ａ，３ｂを中心に回動可能な天秤形状に形成されている。
【００４５】
また、図１〜図９（特に図８および図９）において、３ｃは容器本体１の凹部１ｈ（図４（Ｃ）参照）と第１通路１ｉとを遮断するための第１シャッター部を示しており、３ｄは容器本体１の内部１ｆ（図４（Ｃ）参照）のうち、凹部１ｈより上側の部分（つまり、上述した直方体部分）と第２通路１ｊとを遮断するための第２シャッター部を示している。
【００４６】
更に、図１〜図９（特に図８および図９）において、３ｅは容器本体１の凹部１ｈ（図４（Ｃ）参照）と第１通路１ｉとを連通するために第１シャッター部３ｃの上側に形成された第３通路を示しており、３ｈは容器本体１の内部１ｆ（図４（Ｃ）参照）のうち、凹部１ｈより上側の部分（つまり、上述した直方体部分）と第２通路１ｊとを連通するために第２シャッター部３ｄの上側に形成された第４通路を示している。
【００４７】
また、図１〜図９（特に図８および図９）において、３ｆは容器本体１の凹部１ｈ（図４（Ｃ）参照）と第１通路１ｉとを連通するために、第３通路３ｅを図１（Ｃ）に示す位置より下側に移動させるための第１押動部を示しており、３ｉは容器本体１の内部１ｆ（図４（Ｃ）参照）のうち、凹部１ｈより上側の部分（つまり、上述した直方体部分）と第２通路１ｊとを連通するために、第４通路３ｈを図１（Ｃ）に示す位置より下側に移動させるための第２押動部を示している。
【００４８】
更に、図１〜図９（特に図８および図９）において、３ｇはシャッター部材３の第１押動部３ｆが下側に押し下げられた時に容器本体１の逃げ穴１ｍ（図４（Ｃ）参照）に突き当てられる第１シャッター部材３ｃの下面を示しており、３ｊはシャッター部材３の第２押動部３ｉが下側に押し下げられた時に容器本体１の逃げ穴１ｎ（図４（Ｃ）参照）に突き当てられる第２シャッター部材３ｄの下面を示している。
【００４９】
また、図１〜図９（特に図８および図９）において、３ｌはシャッター部材３の第１押動部３ｆが下側に押し下げられた時に固定部材２の突き当て部２ｊ（図６（Ｃ）参照）に突き当てられる突き当て部を示しており、３ｋはシャッター部材３の第１押動部３ｆが下側に押し下げられた時に弾性変形せしめられる第１ばね部を示している。３ｎはシャッター部材３の第２押動部３ｉが下側に押し下げられた時に固定部材２の突き当て部２ｋ（図６（Ｃ）参照）に突き当てられる突き当て部を示しており、３ｍはシャッター部材３の第２押動部３ｉが下側に押し下げられた時に弾性変形せしめられる第２ばね部を示している。
【００５０】
第１の実施形態の替芯ケースの組立時には、図３（Ａ）に示すように、まず最初に、固定部材２とシャッター部材３とが結合される。詳細には、シャッター部材３の回転軸３ａ，３ｂ（図８および図９参照）が、固定部材２の軸受部２ｆ，２ｈ（図６（Ｃ）および図７（Ｃ）参照）と嵌合せしめられる。次いで、内部１ｆ（図４および図５参照）に多数の替芯が収容されている容器本体１に対して、固定部材２およびシャッター部材３の組立体が組み付けられる。詳細には、固定部材２の突起２ｂ，２ｃ，２ｄ，２ｅ（図６および図７参照）が容器本体１の突起１ｏ，１ｐ，１ｑ，１ｒ（図４および図５参照）を乗り越え、固定部材２の底面２ａ（図７参照）が容器本体１のテーパ部１ｋ，１ｌ（図５参照）に突き当たるまで、固定部材２およびシャッター部材３の組立体が容器本体１内に圧入される。その結果、第１の実施形態の替芯ケースが完成する。
【００５１】
図１０は第１の実施形態の替芯ケースから１本のみの替芯４ａが取り出される状態を示した図である。第１の実施形態の替芯ケースから１本のみの替芯４ａを取り出すことが要求される時には、図１０（Ａ）に示すように、シャッター部材３の第１押動部３ｆが下側に押し下げられる。その結果、シャッター部材３の第３通路３ｅが、容器本体１の凹部１ｈ（図１（Ｃ）および図１０（Ｂ）参照）と第１通路１ｉとの間に配置され、容器本体１の凹部１ｈと第１通路１ｉとが連通せしめられる。次いで、図１０（Ｂ）に示すように、例えば替芯ケースの右側（図１０の右側）がその左側（図１０の左側）より低くなるように替芯ケースを傾けることにより、容器本体１の凹部１ｈ内に収容されている１本のみの替芯４ａが、シャッター部材３の第３通路３ｅ（図１０（Ａ）参照）および容器本体１の第１通路１ｉ（図１０（Ａ）参照）を介して容器本体１の外側に取り出される。
【００５２】
容器本体１の凹部１ｈ内に収容されている１本のみの替芯４ａが容器本体１の外側に取り出されると、容器本体１の内部１ｆ（図４（Ｃ）参照）のうち、凹部１ｈより上側の部分（つまり、上述した直方体部分）に位置している複数の替芯のうちの１本の替芯が、自重によって容器本体１の凹部１ｈ内に移動する。
【００５３】
図１０に示すように、容器本体１の凹部１ｈ内に収容されている１本のみの替芯４ａが容器本体１の外側に取り出される時、容器本体１の内部１ｆ（図４（Ｃ）参照）のうち、凹部１ｈより上側の部分（つまり、上述した直方体部分）と第２通路１ｊとの間には、シャッター部材３の第２シャッター部３ｄが配置されている。そのため、容器本体１の平坦部１ｇ（図１（Ｃ）および図４（Ｃ）参照）上に配置されている替芯が第２通路１ｊを介して容器本体１の外側に出てしまうことはない。詳細には、容器本体１の内部１ｆ（図４（Ｃ）参照）のうち、凹部１ｈより上側の部分（つまり、上述した直方体部分）に収容されている替芯が第２通路１ｊを介して容器本体１の外側に出てしまうことはない。
【００５４】
次いで、シャッター部材３の第１押動部３ｆを下側に押し下げていた押圧力が解除されると、弾性変形せしめられていた第１ばね部３ｋ（図８参照）の復元力により、シャッター部材３の第１シャッター部３ｃが図１（Ｃ）に示す位置まで戻される。その結果、容器本体１の凹部１ｈと第１通路１ｉとが第１シャッター部３ｃによって遮断され、容器本体１の凹部１ｈ内に収容されている替芯は、第１通路１ｉを介して容器本体１の外側に出ることができなくなる。
【００５５】
図１１は第１の実施形態の替芯ケースから例えば２〜３本のような複数の替芯４ｂが取り出される状態を示した図である。第１の実施形態の替芯ケースから例えば２〜３本のような複数の替芯を取り出すことが要求される時には、図１１（Ａ）に示すように、シャッター部材３の第２押動部３ｉが下側に押し下げられる。その結果、シャッター部材３の第４通路３ｈが、容器本体１の内部１ｆ（図４（Ｃ）参照）のうち、凹部１ｈより上側の部分（つまり、上述した直方体部分）と第２通路１ｊとの間に配置され、容器本体１の凹部１ｈより上側の部分（つまり、上述した直方体部分）と第２通路１ｊとが連通せしめられる。
【００５６】
次いで、図１１（Ｂ）に示すように、例えば替芯ケースの左側（図１１の左側）がその右側（図１１の右側）より低くなるように替芯ケースを傾けることにより、容器本体１の平坦部１ｇ上に配置されている例えば２〜３本のような複数の替芯４ｂが、シャッター部材３の第４通路３ｈ（図１１（Ａ）参照）および容器本体１の第２通路１ｊ（図１１（Ａ）参照）を介して容器本体１の外側に取り出される。詳細には、容器本体１の内部１ｆ（図４（Ｃ）参照）のうち、凹部１ｈより上側の部分（つまり、上述した直方体部分）に収容されている例えば２〜３本のような複数の替芯４ｂが、シャッター部材３の第４通路３ｈ（図１１（Ａ）参照）および容器本体１の第２通路１ｊ（図１１（Ａ）参照）を介して容器本体１の外側に取り出される。
【００５７】
図１１に示すように、容器本体１の平坦部１ｇ上に配置されている例えば２〜３本のような複数の替芯４ｂが容器本体１の外側に取り出される時、容器本体１の凹部１ｈ（図１（Ｃ）参照）と第１通路１ｉとの間には、シャッター部材３の第１シャッター部３ｃが配置されている。そのため、容器本体１の凹部１ｈ（図１（Ｃ）参照）に収容されている替芯が第１通路１ｉを介して容器本体１の外側に出てしまうことはない。
【００５８】
次いで、シャッター部材３の第２押動部３ｉを下側に押し下げていた押圧力が解除されると、弾性変形せしめられていた第２ばね部３ｍ（図８参照）の復元力により、シャッター部材３の第２シャッター部３ｄが図１（Ｃ）に示す位置まで戻される。その結果、容器本体１の内部１ｆ（図４（Ｃ）参照）のうち、凹部１ｈより上側の部分（つまり、上述した直方体部分）と第２通路１ｊとが第２シャッター部３ｄによって遮断され、容器本体１の平坦部１ｇ上に配置されている替芯は、第２通路１ｊを介して容器本体１の外側に出ることができなくなる。詳細には、容器本体１の内部１ｆ（図４（Ｃ）参照）のうち、凹部１ｈより上側の部分（つまり、上述した直方体部分）に収容されている替芯は、第２通路１ｊを介して容器本体１の外側に出ることができなくなる。
【００５９】
換言すれば、第１の実施形態の替芯ケースでは、図５（Ｃ）に示すように、多数の替芯を収容可能な容器本体１の内部１ｆの底面が、平坦部１ｇと、その平坦部１ｇより窪んだ凹部１ｈとによって構成されている。更に、平坦部１ｇ上に例えば２〜３本のような複数の替芯が配置され、凹部１ｈ内に１本のみの替芯が収容されるように、平坦部１ｇおよび凹部１ｈが形成されている。
【００６０】
詳細には、第１の実施形態の替芯ケースでは、多数の替芯が容器本体１の内部１ｆに充填されると、多数の替芯のうち、例えば２〜３本のような複数の替芯が平坦部１ｇ上に配置され、１本のみの替芯が凹部１ｈ内に収容されるように、つまり、多数の替芯が自重によって例えば２〜３本のような複数の替芯と１本の替芯とに分けられるように、平坦部１ｇと、その平坦部１ｇより窪んだ凹部１ｈとが形成されている。
【００６１】
そのため、第１の実施形態の替芯ケースによれば、使用者が手動で多数の替芯を１本の替芯と複数の替芯とに容器本体１の内部１ｆで分けなければならない煩わしさを排除することができる。
【００６２】
更に、第１の実施形態の替芯ケースでは、図４および図５に示すように、凹部１ｈと同一の断面形状を有する第１通路１ｉによって凹部１ｈと容器本体１の外側とが連通されている。そのため、凹部１ｈ内に収容された１本のみの替芯を容器本体１の外側に取り出すことができる。
【００６３】
また、第１の実施形態の替芯ケースでは、図４および図５に示すように、容器本体１の内部１ｆのうち、凹部１ｈより上側の部分（つまり、上述した直方体部分）と容器本体１の外側とが第２通路１ｊによって連通されている。そのため、平坦部１ｇ上に配置された例えば２〜３本のような複数の替芯を容器本体１の外側に取り出すことができる。
【００６４】
更に、第１の実施形態の替芯ケースでは、図４（Ｃ）に示すように、第２通路１ｊが容器本体１の内部１ｆを隔てて第１通路１ｉの反対側に形成されている。そのため、１本のみの替芯を取り出すための第１通路１ｉと複数の替芯を取り出すための第２通路１ｊとが容器本体１の同一の側面に形成されるのに伴って、１本の替芯を取り出すことが要求されている時に誤って複数の替芯が取り出されたり、複数の替芯を取り出すことが要求されている時に誤って１本の替芯が取り出されたりしてしまうおそれを排除することができる。
【００６５】
また、第１の実施形態の替芯ケースでは、図１（Ｃ）に示すように、凹部１ｈと第１通路１ｉとを遮断するための第１シャッター部３ｃと、容器本体１の内部１ｆのうち、凹部１ｈより上側の部分（つまり、上述した直方体部分）と第２通路１ｊとを遮断するための第２シャッター部３ｄとを有する天秤形状のシャッター部材３が設けられている。そのため、凹部１ｈと第１通路１ｉとを遮断するための部材と、容器本体１の内部１ｆのうち、凹部１ｈより上側の部分（つまり、上述した直方体部分）と第２通路１ｊとを遮断するための部材とを別個に設ける必要性を排除することができる。
【００６６】
更に、第１の実施形態の替芯ケースでは、図１（Ｃ）に示すように、第１シャッター部３ｃが、凹部１ｈと第１通路１ｉとの間に配置され、第２シャッター部２ｄが、容器本体１の内部１ｆのうち、凹部１ｈより上側の部分（つまり、上述した直方体部分）と第２通路１ｊとの間に配置されている。つまり、可動部としての第１シャッター部３ｃおよび第２シャッター部３ｄが、替芯ケースの外側に露出せしめられていない。そのため、可動部が、替芯ケースの外側に露出せしめられるのに伴って、破損してしまうおそれを低減することができる。
【００６７】
また、第１の実施形態のの替芯ケースでは、図１（Ｃ）に示すように、凹部１ｈと第１通路１ｉとを連通する第３通路３ｅを凹部１ｈと第１通路１ｉとの間まで移動させるための第１押動部３ｆが、天秤形状のシャッター部材３の支点としての回転軸３ａ，３ｂ（図８（Ｂ）参照）より第１シャッター部３ｃに近い側に配置されている。つまり、第１押動部３ｆおよび第１シャッター部３ｃの両方が天秤形状のシャッター部材３の支点としての回転軸３ａ，３ｂ（図８（Ｂ）参照）の右側に配置されている。更に、第１押動部１ｆが押動されると第３通路３ｅが凹部１ｈと第１通路１ｉとの間まで移動せしめられるように、第３通路３ｅが第１シャッター部３ｃの上側に形成されている。そのため、慣れない使用者が１本の替芯の取り出し操作を誤ってしまうおそれを低減することができる。
【００６８】
更に、第１の実施形態のの替芯ケースでは、図１（Ｃ）に示すように、容器本体１の内部１ｆのうち、凹部１ｈより上側の部分（つまり、上述した直方体部分）と第２通路１ｊとを連通する第４通路３ｈをその部分（つまり、上述した直方体部分）と第２通路１ｊとの間まで移動させるための第２押動部３ｉが、天秤形状のシャッター部材３の支点としての回転軸３ａ，３ｂ（図８（Ｂ）参照）より第２シャッター部３ｄに近い側に配置されている。つまり、第２押動部３ｉおよび第２シャッター部３ｄの両方が天秤形状のシャッター部材３の支点としての回転軸３ａ，３ｂ（図８（Ｂ）参照）の左側に配置されている。更に、第２押動部３ｉが押動されると第４通路３ｈがその部分（つまり、上述した直方体部分）と第２通路１ｊとの間まで移動せしめられるように、第４通路３ｈが第２シャッター部３ｄの上側に形成されている。そのため、慣れない使用者が複数の替芯の取り出し操作を誤ってしまうおそれを低減することができる。
【００６９】
また、第１の実施形態の替芯ケースでは、図８（Ｂ）に示すように、押し下げられた第１押動部３ｆを上側に戻すための第１ばね部３ｋの少なくとも一部が、第２押動部３ｉにより形成され、更に、押し下げられた第２押動部３ｉを上側に戻すための第２ばね部３ｍの少なくとも一部が、第１押動部３ｆにより形成されている。つまり、押し下げられた第１押動部３ｊを上側に戻すための第１ばね部３ｋと第２押動部３ｉとが兼用され、押し下げられた第２押動部３ｉを上側に戻すための第２ばね部３ｍと第１押動部３ｆとが兼用されている。そのため、シャッター部材３とは別個にばね部材を設ける必要性や、第１押動部３ｆおよび第２押動部３ｉとは別個にばね部を設ける必要性を排除することができる。
【００７０】
以下、本発明の替芯ケースの第２の実施形態について説明する。第２の実施形態の替芯ケースは、後述する点を除き、上述した第１の実施形態の替芯ケースとほぼ同様に構成されている。従って、第２の実施形態の替芯ケースによれば、後述する点を除き、上述した第１の実施形態の替芯ケースとほぼ同様の効果を奏することができる。
【００７１】
図１２〜図１４は第２の実施形態の替芯ケースを示した図である。詳細には、図１２（Ａ）は第２の実施形態の替芯ケースの平面図、図１２（Ｂ）は第２の実施形態の替芯ケースの正面図、図１２（Ｃ）は図１２（Ａ）に示した第２の実施形態の替芯ケースのＪ−Ｊ断面図である。図１３（Ａ）は第２の実施形態の替芯ケースの右側面図、図１３（Ｂ）は第２の実施形態の替芯ケースの左側面図である。図１４（Ａ）は第２の実施形態の替芯ケースの分解組立図、図１４（Ｂ）は第２の実施形態の替芯ケースの斜視図である。
【００７２】
図１５および図１６は第２の実施形態の替芯ケースの一部を構成する容器本体１１を示した図である。第２の実施形態の替芯ケースでは、容器本体１１が、多数の替芯（図示せず）を収容可能に形成されている。また、容器本体１１が例えばＰＳのような樹脂材料によって形成されている。第２の実施形態の替芯ケースの変形例では、代わりに、容器本体１１をＰＳ以外の材料によって形成することも可能である。
【００７３】
詳細には、図１５（Ａ）は容器本体１１の平面図、図１５（Ｂ）は容器本体１１の正面図、図１５（Ｃ）は図１５（Ａ）に示した容器本体１１のＫ−Ｋ断面図である。図１６（Ａ）は図１５（Ａ）に示した容器本体１１のＬ−Ｌ断面図、図１６（Ｂ）は図１５（Ａ）に示した容器本体１１のＭ−Ｍ断面図、図１６（Ｃ）は図１５（Ａ）に示した容器本体１１のＮ−Ｎ断面図である。
【００７４】
図１７および図１８は第２の実施形態の替芯ケースの一部を構成するシャッター部材１３を示した図である。第２の実施形態の替芯ケースでは、シャッター部材１３が例えばＰＯＭのような弾性変形可能な樹脂材料によって形成されている。第２の実施形態の替芯ケースの変形例では、代わりに、シャッター部材１３をＰＯＭ以外の弾性変形可能な材料によって形成することも可能である。
【００７５】
詳細には、図１７（Ａ）はシャッター部材１３の平面図、図１７（Ｂ）はシャッター部材１３の正面図、図１７（Ｃ）は図１７（Ａ）に示したシャッター部材１３のＰ−Ｐ断面図、図１８（Ａ）はシャッター部材１３の右側面図、図１８（Ｂ）はシャッター部材１３の左側面図である。
【００７６】
図１２〜図１８（特に図１５および図１６）において、１１ａは容器本体１１の底部を示しており、１１ｂは容器本体１１の右壁部を示しており、１１ｃは容器本体１１の左壁部を示しており、１１ｄは容器本体１１の前壁部を示しており、１１ｅは容器本体１１の後壁部を示しており、１１ｆは容器本体１１の内部を示している。１１ｇは容器本体１１の内部１１ｆの底面の一部を構成する平坦部を示しており、１１ｈは容器本体１１の内部１１ｆの底面の一部を構成する凹部を示している。
【００７７】
第２の実施形態の替芯ケースでは、図１６に示すように、容器本体１１の内部１１ｆの底面が、平坦部１１ｇと、その平坦部１１ｇより窪んだ凹部１１ｈとによって構成されている。具体的には、平坦部１１ｇ上に例えば２〜３本のような複数の替芯（図示せず）が配置され、凹部１１ｈ内に１本のみの替芯（図示せず）が収容されるように、平坦部１１ｇおよび凹部１１ｈが形成されている。
【００７８】
更に、図１２〜図１８（特に図１５および図１６）において、１１ｉは凹部１１ｈと容器本体１１の外側とを連通するために容器本体１１の右壁部１１ｂに形成された第１通路を示しており、１１ｊは容器本体１１の内部１１ｆのうち、凹部１１ｈより上側の部分と容器本体１１の外側とを連通するために容器本体１１の左壁部１１ｃに形成された第２通路を示している。１１ｋは前壁部１１ｄと平坦部１１ｇとを接続するためのテーパ部を示しており、１１ｌは後壁部１１ｅと平坦部１１ｇとを接続するためのテーパ部を示している。
【００７９】
第２の実施形態の替芯ケースでは、図１３（Ａ）および図１３（Ｃ）に示すように、凹部１１ｈと第１通路１１ｉとが同一の断面形状を有するように、第１通路１１ｉが形成されている。つまり、右側に投影された凹部１１ｈの外形形状と第１通路１１ｉの外形形状とが一致せしめられている。
【００８０】
また、第２の実施形態の替芯ケースでは、図１３（Ｂ）、図１６（Ａ）および図１６（Ｂ）に示すように、容器本体１１の内部１１ｆのうち、凹部１１ｈより上側であって、テーパ部１１ｋ，１１ｌより下側の直方体部分と、第２通路１１ｊとが同一の断面形状を有するように、第２通路１１ｊが形成されている。つまり、左側に投影された直方体部分の外形形状と第２通路１１ｊの外形形状とが一致せしめられている。
【００８１】
更に、第２の実施形態の替芯ケースでは、図１５（Ｃ）に示すように、第２通路１１ｊが、容器本体１１の内部１１ｆを隔てて第１通路１１ｉの反対側に配置されている。
【００８２】
つまり、第２の実施形態の替芯ケースでは、図１５および図１６に示すように、凹部１１ｈ内に収容された１本のみの替芯（図示せず）を右側（図１５（Ａ）および図１５（Ｃ）の右側）に移動させることにより、その１本のみの替芯が第１通路１１ｉを介して取り出されるように、凹部１１ｈおよび第１通路１１ｉが構成されている。更に、平坦部１１ｇ上に配置された例えば２〜３本のような複数の替芯（図示せず）を左側（図１５（Ａ）および図１５（Ｃ）の左側）に移動させることにより、その複数の替芯が第２通路１１ｊを介して取り出されるように、平坦部１１ｇおよび第２通路１１ｊが構成されている。
【００８３】
また、図１２〜図１８（特に図１５および図１６）において、１１ｍ，１１ｎは回動せしめられるシャッター部材１３を逃げるための逃げ穴を示している。また、１１ｓ，１１ｕは軸受部を示しており、１１ｔ，１１ｖは案内溝を示している。
【００８４】
更に、図１２〜図１８（特に図１７および図１８）において、１３ａ，１３ｂはシャッター部材１３の回転軸を示している。詳細には、第２の実施形態の替芯ケースでは、図１４（Ａ）に示すように、シャッター部材１３が容器本体１１内に圧入されると、シャッター部材１３の回転軸１３ａ（図１７および図１８参照）が、容器本体１１の案内溝１１ｔ（図１６（Ｂ）参照）を介して軸受部１１ｓまで案内されると共に、シャッター部材１３の回転軸１３ｂ（図１７および図１８参照）が、容器本体１１の案内溝１１ｖ（図１６（Ｂ）参照）を介して軸受部１１ｕまで案内される。その結果、シャッター部材１３の回転軸１３ａ，１３ｂが、容器本体１１の軸受部１１ｓ，１１ｕと嵌合せしめられ、軸受部１１ｓ，１１ｕによって回転可能に支持される。それにより、シャッター部材１３が容器本体１１に対して回動可能に容器本体１１によって支持される。
【００８５】
更に詳細には、第２の実施形態の替芯ケースでは、図１４（Ａ）、図１７（Ａ）および図１７（Ｂ）に示すように、シャッター部材１３が、回転軸１３ａ，１３ｂを中心に回動可能な天秤形状に形成されている。
【００８６】
また、図１２〜図１８（特に図１７および図１８）において、１３ｃは容器本体１１の凹部１１ｈ（図１５（Ｃ）参照）と第１通路１１ｉとを遮断するための第１シャッター部を示しており、１３ｄは容器本体１１の内部１１ｆ（図１５（Ｃ）参照）のうち、凹部１１ｈより上側の部分（つまり、上述した直方体部分）と第２通路１１ｊとを遮断するための第２シャッター部を示している。
【００８７】
更に、図１２〜図１８（特に図１７および図１８）において、１３ｅは容器本体１１の凹部１１ｈ（図１５（Ｃ）参照）と第１通路１１ｉとを連通するために第１シャッター部１３ｃの上側に形成された第３通路を示しており、１３ｈは容器本体１１の内部１１ｆ（図１５（Ｃ）参照）のうち、凹部１１ｈより上側の部分（つまり、上述した直方体部分）と第２通路１１ｊとを連通するために第２シャッター部１３ｄの上側に形成された第４通路を示している。
【００８８】
また、図１２〜図１８（特に図１７および図１８）において、１３ｆは容器本体１１の凹部１１ｈ（図１５（Ｃ）参照）と第１通路１１ｉとを連通するために、第３通路１３ｅを図１２（Ｃ）に示す位置より下側に移動させるための第１押動部を示しており、１３ｉは容器本体１１の内部１１ｆ（図１５（Ｃ）参照）のうち、凹部１１ｈより上側の部分（つまり、上述した直方体部分）と第２通路１１ｊとを連通するために、第４通路１３ｈを図１２（Ｃ）に示す位置より下側に移動させるための第２押動部を示している。
【００８９】
更に、図１２〜図１８（特に図１７および図１８）において、１３ｋはシャッター部材１３の第１押動部１３ｆが下側に押し下げられた時に逃げ穴１１ｍ（図１５（Ｃ）参照）の底面によって弾性変形せしめられる第１ばね部を示している。１３ｍはシャッター部材１３の第２押動部１３ｉが下側に押し下げられた時に逃げ穴１１ｎ（図１５（Ｃ）参照）の底面によって弾性変形せしめられる第２ばね部を示している。
【００９０】
第２の実施形態の替芯ケースの組立時には、図１４（Ａ）に示すように、容器本体１１とシャッター部材１３とが結合される。詳細には、シャッター部材１３の回転軸１３ａ，１３ｂ（図１７および図１８参照）が、容器本体１１の軸受部１１ｓ，１１ｕ（図１６（Ｃ）参照）と嵌合せしめられる。その結果、第２の実施形態の替芯ケースが完成する。
【００９１】
第２の実施形態の替芯ケースから１本のみの替芯を取り出すことが要求される時には、シャッター部材１３の第１押動部１３ｆ（図１２（Ｃ）参照）が下側に押し下げられる。その結果、シャッター部材１３の第３通路１３ｅが、容器本体１１の凹部１１ｈと第１通路１１ｉとの間に配置され、容器本体１１の凹部１１ｈと第１通路１１ｉとが連通せしめられる。次いで、例えば替芯ケースの右側（図１２（Ｃ）の右側）がその左側（図１２（Ｃ）の左側）より低くなるように替芯ケースを傾けることにより、容器本体１１の凹部１１ｈ内に収容されている１本のみの替芯が、シャッター部材１３の第３通路１３ｅおよび容器本体１１の第１通路１１ｉを介して容器本体１１の外側に取り出される。
【００９２】
容器本体１１の凹部１１ｈ内に収容されている１本のみの替芯が容器本体１１の外側に取り出されると、容器本体１１の内部１１ｆ（図１５（Ｃ）参照）のうち、凹部１１ｈより上側の部分（つまり、上述した直方体部分）に位置している複数の替芯のうちの１本の替芯が、自重によって容器本体１１の凹部１１ｈ内に移動する。
【００９３】
容器本体１１の凹部１１ｈ内に収容されている１本のみの替芯が容器本体１１の外側に取り出される時、容器本体１１の内部１１ｆ（図１５（Ｃ）参照）のうち、凹部１１ｈより上側の部分（つまり、上述した直方体部分）と第２通路１１ｊとの間には、シャッター部材１３の第２シャッター部１３ｄ（図１２（Ｃ）参照）が配置されている。そのため、容器本体１１の平坦部１１ｇ上に配置されている替芯が第２通路１１ｊを介して容器本体１１の外側に出てしまうことはない。詳細には、容器本体１１の内部１１ｆ（図１５（Ｃ）参照）のうち、凹部１１ｈより上側の部分（つまり、上述した直方体部分）に収容されている替芯が第２通路１１ｊを介して容器本体１１の外側に出てしまうことはない。
【００９４】
次いで、シャッター部材１３の第１押動部１３ｆ（図１２（Ｃ）参照）を下側に押し下げていた押圧力が解除されると、弾性変形せしめられていた第１ばね部１３ｋ（図１８（Ａ）参照）の復元力により、シャッター部材１３の第１シャッター部１３ｃが図１２（Ｃ）に示す位置まで戻される。その結果、容器本体１１の凹部１１ｈと第１通路１１ｉとが第１シャッター部１３ｃによって遮断され、容器本体１１の凹部１１ｈ内に収容されている替芯は、第１通路１１ｉを介して容器本体１１の外側に出ることができなくなる。
【００９５】
一方、第２の実施形態の替芯ケースから例えば２〜３本のような複数の替芯を取り出すことが要求される時には、シャッター部材１３の第２押動部１３ｉ（図１２（Ｃ）参照）が下側に押し下げられる。その結果、シャッター部材１３の第４通路１３ｈが、容器本体１１の内部１１ｆ（図１５（Ｃ）参照）のうち、凹部１１ｈより上側の部分（つまり、上述した直方体部分）と第２通路１１ｊとの間に配置され、容器本体１１の凹部１１ｈより上側の部分（つまり、上述した直方体部分）と第２通路１１ｊとが連通せしめられる。
【００９６】
次いで、例えば替芯ケースの左側（図１２（Ｃ）の左側）がその右側（図１２（Ｃ）の右側）より低くなるように替芯ケースを傾けることにより、容器本体１１の平坦部１１ｇ上に配置されている例えば２〜３本のような複数の替芯が、シャッター部材１３の第４通路１３ｈおよび容器本体１１の第２通路１１ｊを介して容器本体１１の外側に取り出される。詳細には、容器本体１１の内部１１ｆ（図１５（Ｃ）参照）のうち、凹部１１ｈより上側の部分（つまり、上述した直方体部分）に収容されている例えば２〜３本のような複数の替芯が、シャッター部材１３の第４通路１３ｈおよび容器本体１１の第２通路１１ｊを介して容器本体１１の外側に取り出される。
【００９７】
容器本体１１の平坦部１１ｇ上に配置されている例えば２〜３本のような複数の替芯が容器本体１１の外側に取り出される時、容器本体１１の凹部１１ｈと第１通路１１ｉとの間には、シャッター部材１３の第１シャッター部１３ｃ（図１２（Ｃ）参照）が配置されている。そのため、容器本体１１の凹部１１ｈに収容されている替芯が第１通路１１ｉを介して容器本体１１の外側に出てしまうことはない。
【００９８】
次いで、シャッター部材１３の第２押動部１３ｉ（図１２（Ｃ）参照）を下側に押し下げていた押圧力が解除されると、弾性変形せしめられていた第２ばね部１３ｍ（図１８（Ｂ）参照）の復元力により、シャッター部材１３の第２シャッター部１３ｄが図１２（Ｃ）に示す位置まで戻される。その結果、容器本体１１の内部１１ｆ（図１５（Ｃ）参照）のうち、凹部１１ｈより上側の部分（つまり、上述した直方体部分）と第２通路１１ｊとが第２シャッター部１３ｄによって遮断され、容器本体１１の平坦部１１ｇ上に配置されている替芯は、第２通路１１ｊを介して容器本体１１の外側に出ることができなくなる。詳細には、容器本体１１の内部１１ｆ（図１５（Ｃ）参照）のうち、凹部１１ｈより上側の部分（つまり、上述した直方体部分）に収容されている替芯は、第２通路１１ｊを介して容器本体１１の外側に出ることができなくなる。
【図面の簡単な説明】
【００９９】
【図１】第１の実施形態の替芯ケースを示した図である。
【図２】第１の実施形態の替芯ケースを示した図である。
【図３】第１の実施形態の替芯ケースを示した図である。
【図４】第１の実施形態の替芯ケースの一部を構成する容器本体１を示した図である。
【図５】第１の実施形態の替芯ケースの一部を構成する容器本体１を示した図である。
【図６】第１の実施形態の替芯ケースの一部を構成する固定部材２を示した図である。
【図７】第１の実施形態の替芯ケースの一部を構成する固定部材２を示した図である。
【図８】第１の実施形態の替芯ケースの一部を構成するシャッター部材３を示した図である。
【図９】第１の実施形態の替芯ケースの一部を構成するシャッター部材３を示した図である。
【図１０】第１の実施形態の替芯ケースから１本のみの替芯４ａが取り出される状態を示した図である。
【図１１】第１の実施形態の替芯ケースから例えば２〜３本のような複数の替芯４ｂが取り出される状態を示した図である。
【図１２】第２の実施形態の替芯ケースを示した図である。
【図１３】第２の実施形態の替芯ケースを示した図である。
【図１４】第２の実施形態の替芯ケースを示した図である。
【図１５】第２の実施形態の替芯ケースの一部を構成する容器本体１１を示した図である。
【図１６】第２の実施形態の替芯ケースの一部を構成する容器本体１１を示した図である。
【図１７】第２の実施形態の替芯ケースの一部を構成するシャッター部材１３を示した図である。
【図１８】第２の実施形態の替芯ケースの一部を構成するシャッター部材１３を示した図である。
【符号の説明】
【０１００】
１                        容器本体
１ａ                      底部
１ｂ                      右壁部
１ｃ                      左壁部
１ｄ                      前壁部
１ｅ                      後壁部
１ｆ                      内部
１ｇ                      平坦部
１ｈ                      凹部
１ｉ                      第１通路
１ｊ                      第２通路
１ｋ，１ｌ                テーパ部
１ｍ，１ｎ                逃げ穴
１ｏ，１ｐ，１ｑ，１ｒ    突起
２                        固定部材
２ａ                      底面
２ｂ，２ｃ，２ｄ，２ｅ    突起
２ｆ，２ｈ                軸受部
２ｇ，２ｉ                案内溝
２ｋ，２ｊ                突き当て部
３                        シャッター部材
３ａ，３ｂ                回転軸
３ｃ                      第１シャッター部
３ｄ                      第２シャッター部
３ｅ                      第３通路
３ｆ                      第１押動部
３ｇ                      下面
３ｈ                      第４通路
３ｉ                      第２押動部
３ｊ                      下面
３ｋ                      第１ばね部
３ｌ                      突き当て部
３ｍ                      第２ばね部
３ｎ                      突き当て部
４ａ                      替芯
４ｂ                      替芯
【図１】
2007105977.tif 000003
【図２】
2007105977.tif 000004
【図３】
2007105977.tif 000005
【図４】
2007105977.tif 000006
【図５】
2007105977.tif 000007
【図６】
2007105977.tif 000008
【図７】
2007105977.tif 000009
【図８】
2007105977.tif 000010
【図９】
2007105977.tif 000011
【図１０】
2007105977.tif 000012
【図１１】
2007105977.tif 000013
【図１２】
2007105977.tif 000014
【図１３】
2007105977.tif 000015
【図１４】
2007105977.tif 000016
【図１５】
2007105977.tif 000017
【図１６】
2007105977.tif 000018
【図１７】
2007105977.tif 000019
【図１８】
2007105977.tif 000020